(57)【要約】本発明は、過負荷保護器を除去し、圧縮機を作動する運転制御装置を用いて過負荷による圧縮機の損傷を防止できる圧縮機の過負荷保護装置及びその方法において、過負荷保護装置は、圧縮機を正常に動作させるための基準電流値を予め設定する基準電流設定部と、圧縮機に印加される電流を検出する電流検出部と、検出された電流値が基準電流値より大きいとき電源遮断信号を発生し、検出された電流値が基準電流値より小さいとき電源供給信号を発生するマイクロコンピュータと、電源遮断信号に基づいて圧縮機に供給されている電源を遮断するか、電源供給信号に基づいて圧縮機に電源を供給する電源供給部と、から構成される。
2005536686.tif 000002
【特許請求の範囲】
【請求項１】
圧縮機を正常に動作させるための基準電流値を予め設定する基準電流設定部と、
前記圧縮機に流れる電流を検出する電流検出部と、
前記検出された電流値が前記基準電流値より大きいとき電源遮断信号を発生し、前記検出された電流値が前記基準電流値より小さいとき電源供給信号を発生するマイクロコンピュータと、
前記電源遮断信号に基づいて前記圧縮機に供給されている電源を遮断するか、前記電源供給信号に基づいて前記圧縮機に電源を供給する電源供給部と、
を備えることを特徴とする圧縮機の過負荷保護装置。
【請求項２】
前記基準電流値と前記検出された電流値とを比較し、前記検出された電流値が前記基準電流値より大きいとき電源遮断信号を発生し、前記検出された電流値が前記基準電流値より小さいとき電源供給信号を発生する比較部を更に備える請求項１記載の圧縮機の過負荷保護装置。
【請求項３】
前記マイクロコンピュータは、前記比較部から前記電源供給信号を受けて前記電源供給部内のトライアックのターンオン周期を制御して前記圧縮機の内部モータに電源を供給するか、または前記比較部から前記電源遮断信号を受けて前記圧縮機の内部トライアックのターンオン周期を制御して前記圧縮機の内部モータに供給されている電源を遮断する請求項２記載の圧縮機の過負荷保護装置。
【請求項４】
前記電源供給部は、前記電源遮断信号に基づいて内部トライアックのターンオン周期を制御して前記圧縮機の内部モータに供給されている電源を遮断するか、前記電源供給信号に基づいて内部トライアックのターンオン周期を制御して前記圧縮機の内部モータに電源を供給する請求項１記載の圧縮機の過負荷保護装置。
【請求項５】
前記電源供給部は、リレイを更に含み、前記リレイは、前記電源遮断信号に基づいて前記圧縮機の内部モータに印加される電源を遮断するか、前記電源供給信号に基づいて前記圧縮機の内部モータに電源を印加する請求項１記載の圧縮機の過負荷保護装置。
【請求項６】
前記電源供給部は、接触/非接触方式の機械的動作を行う装置を更に含み、前記装置は、前記電源遮断信号に基づいて前記圧縮機の内部モータに供給されている電源を遮断するか、前記電源供給信号に基づいて前記圧縮機の内部モータに電源を供給する請求項１記載の圧縮機の過負荷保護装置。
【請求項７】
圧縮機に印加される電圧を検出する電圧検出部と、前記圧縮機に流れる電流を検出する電流検出部と、前記電圧検出部により検出された電圧及び前記電流検出部により検出された電流を用いてストロークを計算し、その計算されたストロークとストローク基準値とを比較し、その比較結果に基づいてスイッチング制御信号を出力するマイクロコンピュータと、前記マイクロコンピュータから出力されるスイッチング制御信号に基づいて、内部トライアック（Tr１）を用いて前記圧縮機に供給される交流電源をオン/オフ制御することで、ストローク電圧を前記圧縮機に印加する電源供給部と、を含む圧縮機の運転制御装置において、
前記圧縮機の基準電流値を予め設定する基準電流設定部と、
前記検出された電流値が前記基準電流値より大きいとき電源遮断信号を発生し、その発生した電源遮断信号を出力するか、前記検出された電流値が前記基準電流値より小さいとき電源供給信号を発生し、その発生した電源供給信号を出力する前記マイクロコンピュータと、
前記電源遮断信号に基づいて前記圧縮機の内部モータに供給されている電源を遮断するか、前記電源供給信号に基づいて前記圧縮機の内部モータに電源を供給するスイッチング部と、
を更に備えることを特徴とする圧縮機の運転制御装置。
【請求項８】
前記基準電流値と前記検出された電流値とを比較し、前記検出された電流値が前記基準電流値より大きいとき電源遮断信号を発生し、前記検出された電流値が前記基準電流値より小さいとき電源供給信号を発生する比較部を更に備える請求項７記載の圧縮機の運転制御装置。
【請求項９】
前記マイクロコンピュータは、前記比較部から前記電源供給信号を受けて前記電源供給部内のトライアックのターンオン周期を制御して前記圧縮機の内部モータに電源を供給するか、または前記比較部から前記電源遮断信号を受けて前記圧縮機の内部トライアックのターンオン周期を制御して前記圧縮機の内部モータに供給される電源を遮断する請求項８記載の圧縮機の運転制御装置。
【請求項１０】
圧縮機に流れる電流を検出する段階と、
前記検出された電流値と予め保存された基準電流値とを比較する段階と、
前記検出された電流値が前記基準電流値より大きいとき電源遮断信号を発生し、前記検出された電流値が前記基準電流値より小さいか等しいとき電源供給信号を発生する段階と、
前記電源遮断信号に基づいて前記圧縮機の内部モータに供給されている電源を遮断するか、前記電源供給信号に基づいて前記圧縮機の内部モータに電源を供給する段階と、
を備えることを特徴とする圧縮機の過負荷保護方法。
【請求項１１】
圧縮機に印加される電圧及び流れる電流を検出し、前記電圧及び前記電流を用いてストロークを計算し、その計算されたストロークとストローク基準値とを比較し、その比較結果に基づいて前記圧縮機の運転を制御する方法において、
前記検出された電流値と予め保存された基準電流値とを比較する段階と、
前記検出された電流値が前記基準電流値より大きいとき電源遮断信号を発生し、前記検出された電流値が前記基準電流値より小さいか等しいとき電源供給信号を発生する段階と、
前記電源遮断信号に基づいて前記圧縮機の内部モータに供給されている電源を遮断するか、前記電源供給信号に基づいて前記圧縮機の内部モータに電源を供給する段階と、
を更に備えることを特徴とする圧縮機の運転制御方法。
【発明の詳細な説明】
【技術分野】
【０００１】
本発明は、圧縮機に関し、詳しくは、過負荷保護器(Over Load Protector；OLP)を使用することなく、過負荷による圧縮機の損傷を防止できる圧縮機の過負荷保護装置及びその方法に関するものである。
【背景技術】
【０００２】
一般に、圧縮機、特に、往復運動式圧縮機(Reciprocating Compressor)は、回転運動を直線運動に変換するクランクシャフトがないため摩擦損失が少なく、よって、一般の圧縮機より圧縮効率が高い。
【０００３】
往復運動式圧縮機を冷蔵庫やエアコンに使用する場合は、往復運動式圧縮機に入力されるストローク電圧を変化させて前記往復運動式圧縮機の圧縮比を変化させることで、冷凍力を制御することができる。以下、このような往復運動式圧縮機について図１を参照して説明する。
【０００４】
図１は、従来の往復運動式圧縮機の運転制御装置の構成を示すブロック図である。図１に示すように、従来の往復運動式圧縮機の運転制御装置は、往復運動式圧縮機１３が運転されることによって圧縮機１３に印加される電圧を検出する電圧検出部１４と、圧縮機１３が運転されることによって圧縮機１３に流れる電流を検出する電流検出部１２と、電圧検出部１４により検出された電圧及び電流検出部１２により検出された電流を用いてストロークを計算し、その計算されたストロークとストローク基準値(Stroke Reference Value)とを比較し、その比較結果に基づいてスイッチング制御信号を出力するマイクロコンピュータ１５と、マイクロコンピュータ１５から出力されるスイッチング制御信号によって、内部トライアック(Triac)Tr１を利用して往復運動式圧縮機１３に供給される交流電源をオン/オフ制御することで、ストローク電圧を圧縮機１３に供給する電源供給部１１と、から構成される。ここで、往復運動式圧縮機１３は、使用者により設定されたストローク基準値によって、内部モータ(図示せず)に供給されるストローク電圧の入力を受けて内部ストロークを変化させ、圧縮機内部のピストン(図示せず)を上下運動させる。
【０００５】
以下、このような従来の往復運動式圧縮機の運転制御装置の動作を説明する。
まず、往復運動式圧縮機１３は、使用者により設定された上記ストローク基準値によって、モータに供給される電圧の入力を受けてストロークを変化させ、これにより、ピストンを上下運動させる。ここで、ストロークとは、往復運動式圧縮機１３内のピストンが往復運動しながら動く距離をいう。
【０００６】
電源供給部１１のトライアックTr１は、マイクロコンピュータ１５から出力されるスイッチング制御信号によりターンオン周期が長くなり、ターンオン周期が長くなることによって交流電源が往復運動式圧縮機１３に供給され、往復運動式圧縮機１３が駆動する。このとき、電圧検出部１４及び電流検出部１２は、往復運動式圧縮機１３に印加される電圧及び圧縮機１３に流れる電流をそれぞれ検出し、これをマイクロコンピュータ１５に出力する。
【０００７】
マイクロコンピュータ１５は、電圧検出部１４及び電流検出部１２により検出された電圧及び電流を用いてストロークを計算した後、その計算されたストロークを上記ストローク基準値と比較し、それによるスイッチング制御信号を出力する。すなわち、マイクロコンピュータ１５は、上記計算されたストロークが上記ストローク基準値より小さいとき、トライアックTr１のオン周期を長くするスイッチング制御信号を電源供給部１１に出力し、往復運動式圧縮機１３に供給されるストローク電圧を増加させる。
【０００８】
反面、マイクロコンピュータ１５は、上記計算されたストロークが上記ストローク基準値より大きいとき、トライアックTr１のオン周期を短くするスイッチング制御信号を電源供給部１１に出力し、往復運動式圧縮機１３に供給されるストローク電圧を減少させる。
【０００９】
一方、従来は、圧縮機１３と電気的に連結され、圧縮機１３の温度が高いか、または圧縮機１３の内部モータに過電流が流れる場合に圧縮機１３のモータに流れる電源を遮断する過負荷保護器(OLP)２０が、運転制御装置と独立して設置されている。
【００１０】
以下、このような従来の過負荷保護器について説明する。
過負荷保護器２０は、それ自身と電気的に連結されている圧縮機１３の温度を感知する。且つ、過負荷保護器２０は、内部に流れる電流による熱を感知し、その感知した熱の温度に基づき、圧縮機１３の内部モータに流れる電源を遮断または通過させる。即ち、圧縮機１３の温度が増加するか、または圧縮機１３の内部モータに過電流が流れる場合、過負荷保護器２０が動作して圧縮機１３に供給される電源を遮断することで、圧縮機１３の損傷を防止する。
【００１１】
しかしながら、従来技術により圧縮機１３に過負荷保護器２０を設置すると、過負荷保護器２０内の電力素子(図示せず)の大きさにより過負荷保護器を小型化することができないという問題があり、且つ圧縮機に過負荷保護器を設置すると圧縮機の費用が増加するという問題があった。
【発明の開示】
【発明が解決しようとする課題】
【００１２】
従って、本発明の目的は、上記過負荷保護器を除去し、圧縮機を駆動する運転制御装置を用いて過負荷による圧縮機の損傷を防止できる圧縮機の過負荷保護装置及びその方法を提供することにある。
【課題を解決するための手段】
【００１３】
前記目的を達成するための本発明に係る圧縮機の過負荷保護装置は、圧縮機を正常に動作させるための基準電流値を予め設定する基準電流設定部と、前記圧縮機に流れる電流を検出する電流検出部と、前記検出された電流値が前記基準電流値より大きいとき電源遮断信号を発生し、前記検出された電流値が前記基準電流値より小さいとき電源供給信号を発生するマイクロコンピュータと、前記電源遮断信号に基づいて前記圧縮機に供給されている電源を遮断するか、前記電源供給信号に基づいて前記圧縮機に電源を供給する電源供給部と、を備えて構成される。
【００１４】
前記目的を達成するための本発明に係る圧縮機の運転制御装置は、圧縮機に印加される電圧を検出する電圧検出部と、前記圧縮機に流れる電流を検出する電流検出部と、前記電圧検出部により検出された電圧及び前記電流検出部により検出された電流を用いてストロークを計算し、その計算されたストロークとストローク基準値とを比較し、その比較結果に基づいてスイッチング制御信号を出力するマイクロコンピュータと、前記マイクロコンピュータから出力されるスイッチング制御信号に基づいて、内部トライアックTr１を用いて前記圧縮機に供給される交流電源をオン/オフ制御することで、ストローク電圧を前記圧縮機に印加する電源供給部と、を含む圧縮機の運転制御装置において、前記圧縮機の基準電流値を予め設定する基準電流設定部と、前記検出された電流値が前記基準電流値より大きいとき電源遮断信号を発生し、その発生した電源遮断信号を出力するか、前記検出された電流値が前記基準電流値より小さいとき電源供給信号を発生し、その発生した電源供給信号を出力する前記マイクロコンピュータと、前記電源遮断信号に基づいて前記圧縮機の内部モータに供給されている電源を遮断するか、前記電源供給信号に基づいて前記圧縮機の内部モータに電源を供給するスイッチング部と、を更に備えて構成される。
【００１５】
前記目的を達成するための本発明に係る圧縮機の過負荷保護方法は、圧縮機に流れる電流を検出する段階と、前記検出された電流値と予め保存された基準電流値とを比較する段階と、前記検出された電流値が前記基準電流値より大きいとき電源遮断信号を発生し、前記検出された電流値が前記基準電流値より小さいか等しいとき電源供給信号を発生する段階と、前記電源遮断信号に基づいて前記圧縮機の内部モータに供給されている電源を遮断するか、前記電源供給信号に基づいて前記圧縮機の内部モータに電源を供給する段階と、を備える。
【００１６】
前記目的を達成するための本発明に係る圧縮機の運転制御方法は、圧縮機に印加される電圧及び流れる電流を検出し、前記電圧及び前記電流を用いてストロークを計算し、その計算されたストロークとストローク基準値とを比較し、その比較結果に基づいて前記圧縮機の運転を制御する方法において、前記検出された電流値と予め保存された基準電流値とを比較する段階と、前記検出された電流値が前記基準電流値より大きいとき電源遮断信号を発生し、前記検出された電流値が前記基準電流値より小さいか等しいとき電源供給信号を発生する段階と、前記電源遮断信号に基づいて前記圧縮機の内部モータに供給されている電源を遮断するか、前記電源供給信号に基づいて前記圧縮機の内部モータに電源を供給する段階と、を更に備える。
【発明を実施するための最良の形態】
【００１７】
以下、過負荷保護器を使用することなく、圧縮機の運転を制御する運転制御装置を用いて過負荷による圧縮機の損傷を防止できる過負荷保護装置及びその方法の好ましい実施形態について、図２〜図４を参照して詳しく説明する。
【００１８】
図２は、本発明に係る往復運動式圧縮機の運転制御装置及び過負荷保護装置(overload protective device)の構成を示すブロック図である。図２に示すように、本発明に係る往復運動式圧縮機の運転制御装置は、往復運動式圧縮機内のピストンの駆動により往復運動式圧縮機１０３に印加される電圧を検出する電圧検出部１０４と、往復運動式圧縮機１０３内のピストンの駆動により往復運動式圧縮機１０３に流れる電流を検出する電流検出部１０２と、電圧検出部１０４により検出された電圧及び電流検出部１０２により検出された電流を用いてストロークを計算し、その計算されたストロークとストローク基準値とを比較し、その比較結果に基づいてスイッチング制御信号を出力するマイクロコンピュータ１０５と、マイクロコンピュータ１０５から出力されるスイッチング制御信号によって、内部トライアックTr１を用いて往復運動式圧縮機１０３に供給される交流電源をオン/オフ制御することで、ストローク電圧を往復運動式圧縮機１０３に供給する電源供給部１０１と、から構成される。
【００１９】
また、本発明に係る過負荷保護装置は、電流検出部１０２、マイクロコンピュータ１０５、電源供給部１０１、及び圧縮機内のモータを正常に運転するための基準電流を予め設定する基準電流設定部１０６から構成される。ここで、マイクロコンピュータ１０５は、検出された電流値が基準電流値より大きいとき電源遮断信号を発生し、その発生した電源遮断信号を出力するか、検出された電流値が基準電流値より小さいとき電源供給信号を発生し、その発生した電源供給信号を出力する。また、電源供給部１０１は、電源遮断信号に基づいて圧縮機１０３の内部モータへの電源供給を遮断するか、電源供給信号に基づいて圧縮機１０３の内部モータに電源を供給する。
【００２０】
しかるに、本発明は過負荷による圧縮機の損傷を防止する圧縮機の過負荷保護装置及びその方法を提供するものである。以下に、従来の圧縮機の運転制御装置の動作と同様な動作は省略し、本発明に係る圧縮機の運転制御装置を用いた過負荷保護装置の動作を詳しく説明する。
【００２１】
まず、図２を用いて説明した本発明による圧縮機の運転制御装置の電流検出部１０２は、圧縮機１０３が運転されるとき、圧縮機１０３の内部モータに印加される電流をリアルタイムに検出し、その検出された電流値をマイクロコンピュータ１０５に出力する。
【００２２】
マイクロコンピュータ１０５は、電流検出部１２により検出された電流値が基準電流設定部１０６に予め設定された基準電流値より大きいとき電源遮断信号を発生し、その発生した電源遮断信号を電源供給部１０１に出力する。一方、マイクロコンピュータ１０５は、電流検出部１２により検出された電流値が基準電流設定部１０６に予め設定された基準電流値より小さいか又は等しいとき電源供給信号を発生し、その発生した電源供給信号を電源供給部１０１に出力する。
【００２３】
その後、電源供給部１０１のトライアックTr１は、電源遮断信号に基づいて圧縮機１０３の内部モータに供給されている電源を遮断するか、電源供給信号に基づいて圧縮機１０３の内部モータに電源を供給する。即ち、電源供給部１０１のトライアックTr１は、マイクロコンピュータ１０５から出力される電源供給信号または電源遮断信号に基づいてターンオン周期を制御することで、圧縮機１０３の内部モータに供給されている電源を遮断するかまたはその内部モータに電源を供給する。
【００２４】
次に、本発明に係る往復運動式圧縮機の過負荷保護装置の他の実施例の構成について、図３を参照して詳しく説明する。
【００２５】
図３は、本発明に係る往復運動式圧縮機の過負荷保護装置の他の実施例の構成を示すブロック図である。図３に示すように、本発明の他の実施例による過負荷保護装置は、基準電流値を予め保存する基準電流設定部１０６と、圧縮機１０３が運転されるとき、圧縮機１０３の内部モータ(図示せず)を流れる電流を検出する電流検出部１０２と、電流検出部１０２により検出された電流値が基準電流設定部１０２に保存された基準電流値より大きいとき電源遮断信号を発生し、その発生した電源遮断信号を出力するか、検出された電流値が基準電流値より小さいか等しいとき電源供給信号を発生し、その発生した電源供給信号を出力するマイクロコンピュータ１０５と、電源遮断信号に基づいて圧縮機１０３の内部モータに供給される電源を遮断するか、電源供給信号に基づいて圧縮機１０３の内部モータに電源を供給するスイッチング部１０８と、から構成される。
【００２６】
また、本発明の他の実施例による往復運動式圧縮機の過負荷保護装置は、マイクロコンピュータ１０５が動作しないとき、マイクロコンピュータ１０５と独立して駆動される比較部１０７を更に含む。即ち、比較部１０７は、電流検出部１０２により検出された電流値と基準電流設定部１０６に予め保存された基準電流値とを比較し、電流検出部１０２により検出された電流値が基準電流値より大きいとき電源遮断信号を発生し、その発生した電源遮断信号をスイッチング部１０８に出力するか、検出された電流値が基準電流値より小さいとき電源供給信号を発生し、その発生した電源供給信号をスイッチング部１０８に出力する。
【００２７】
ここで、マイクロコンピュータ１０５は、比較部１０７から電源供給信号の供給を受けて電源供給部１０１内のトライアックTr１のターンオン周期を制御して圧縮機１０３の内部モータに電源を供給するか、比較部１０７から電源遮断信号の供給を受けて圧縮機１０３の内部トライアックのターンオン周期を制御して圧縮機１０３の内部モータに供給される電源を遮断することもできる。
【００２８】
また、本発明の他の実施例による往復運動式圧縮機の過負荷保護装置は、比較部１０７が故障などにより動作しないとき、マイクロコンピュータ１０５の出力信号に応じて電源を遮断したり供給したりすることができる。即ち、マイクロコンピュータ１０５は、比較部１０７が動作しないとき、電流検出部１０２により検出された電流値が基準電流設定部１０６に予め保存された基準電流値より大きいとき電源遮断信号を発生し、その発生した電源遮断信号をスイッチング部１０８に出力するか、検出された電流値が基準電流値より小さいとき電源供給信号を発生し、その発生した電源供給信号をスイッチング部１０８に出力する。
【００２９】
本発明は、スイッチング部１０８として、マイクロコンピュータ１０５の出力信号或いは比較部１０７の出力信号に基づき、圧縮機１０３の内部モータに電源を供給するか、またはモータに供給される電源を遮断するため、リレイ(図示せず)のように接触/非接触方式の機械的動作を行う素子を使用することもできる。
【００３０】
以下、本発明の他の実施例による往復運動式圧縮機の過負荷保護装置の動作を図４を参照して詳しく説明する。
【００３１】
図４は、本発明の他の実施例による往復運動式圧縮機の過負荷保護装置の動作手順を示すフローチャートである。
まず、電流検出部１０２は、圧縮機１０３が運転されるとき、圧縮機１０３の内部モータに流れる電流をリアルタイムに検出する(S１１)。
【００３２】
マイクロコンピュータ１０５は、電流検出部１０２により検出された電流値が基準電流設定部１０２に保存された基準電流値より大きいとき電源遮断信号を発生し、その発生した電源遮断信号をスイッチング部１０８に出力する(S１２〜S１４)。このとき、スイッチング部１０８は、電源遮断信号に基づいて圧縮機に供給される電源を遮断する。即ち、マイクロコンピュータ１０５は、検出された電流が過電流であるとき、リレイのようなスイッチング部１０８を制御して圧縮機１０３内のモータに供給される電源を遮断する(S１５)。
【００３３】
一方、マイクロコンピュータ１０５は、検出された電流値が基準電流値より小さいかまたは等しいとき電源供給信号を発生し、その発生した電源供給信号をスイッチング部１０８に出力する。このとき、スイッチング部１０８は、電源供給信号に基づいて圧縮機１０３に電源を供給する。即ち、マイクロコンピュータ１０５は、過電流が検出されなかったとき、リレイのようなスイッチング部１０８を制御して圧縮機１０３内のモータに電源を供給することで、圧縮機１０３を正常に駆動させる(S１６、S１７)。
【００３４】
本発明の他の実施例による往復運動式圧縮機の過負荷保護装置は、マイクロコンピュータ１０５が故障などにより動作しないとき、比較部１０７の出力信号により電源を遮断または供給することもできる。即ち、比較部１０７は、基準電流設定部１０６に予め保存された基準電流値と電流検出部１０２により検出された電流値とを比較し、電流検出部１０２により検出された電流値が基準電流値より大きいとき電源遮断信号を発生し、その発生した電源遮断信号をスイッチング部１０８に出力する(S１２〜S１４)。このとき、スイッチング部１０８は、電源遮断信号に基づいて圧縮機１０３に供給される電源を遮断する。
【００３５】
一方、比較部１０７は、基準電流値より検出された電流値が小さいかまたは等しいとき電源供給信号を発生し、その発生した電源供給信号をスイッチング部１０８に出力する。このとき、スイッチング部１０８は、スイッチング信号に基づいて圧縮機１０３に電源を供給する。ここで、基準電流値とは、使用者により予め設定された値で、圧縮機１０３の内部モータを正常に運転するためにモータに印加すべき電流値をいう。即ち、圧縮機１０３が正常に運転されるとき、圧縮機１０３の内部モータに流れる電流値を予め測定し、その測定された値を保存した値である(S１２〜S１３、S１６)。
【００３６】
マイクロコンピュータ１０５は、圧縮機１０３に印加される電源を遮断した後、所定時間(例えば、１〜３分)が経過したか否かを判断する。マイクロコンピュータ１０５は、所定時間が経過すると電源供給信号を発生し、その発生した電源供給信号をスイッチング部１０８に出力する。このとき、スイッチング部１０８は、電源供給信号に基づいて圧縮機１０３が正常に駆動できるように圧縮機１０３に電源を供給する。
【００３７】
一方、マイクロコンピュータ１０５は、所定時間が経過しないとき電源遮断信号を発生し、その発生した電源遮断信号をスイッチング部１０８に出力する。このとき、スイッチング部１０８は、電源遮断信号に基づいて圧縮機１０３に供給される電源を遮断する(S１８)。
【００３８】
従って、本発明は、過負荷保護器(OLP)を使用することなく、圧縮機１０３の運転を制御するための運転制御装置を用いて過負荷による圧縮機１０３の損傷を防止することができる。
【００３９】
本発明は、圧縮機が運転されるとき、圧縮機の内部モータに流れる電流の値と基準電流値とを比較し、その比較結果に基づいて圧縮機の内部モータに供給される電源を遮断するか、圧縮機の内部モータに電源を供給することで、従来技術で用いるように過負荷保護器(OLP)を使用することなく、過電流による圧縮機の損傷を防止できるという効果を有する。
【００４０】
また、本発明は、従来技術で用いるような過負荷保護器(OLP)を使用することなく、圧縮機の運転を制御する運転制御装置を用いることにより、費用を節減できるという効果を有する。
【００４１】
また、本発明は、従来技術で用いるような過負荷保護器(OLP)を使用することなく、圧縮機の運転を制御する運転制御装置を用いることにより、圧縮機を小型化できるという効果を有する。
【００４２】
本発明の精神または範囲から逸脱することなく、当業者にとって種々の修正や変形が本発明において成し得ることは明らかである。したがって、添付特許請求の範囲および均等物内となる本発明の修正や変形は本発明に含まれるものである。
【図面の簡単な説明】
【００４３】
【図１】従来の往復運動式圧縮機の運転制御装置の構成を示すブロック図である。
【図２】本発明に係る往復運動式圧縮機の運転制御装置及び過負荷保護装置の構成を示すブロック図である。
【図３】本発明に係る往復運動式圧縮機の過負荷保護装置の他の実施例の構成を示すブロック図である。
【図４】本発明の他の実施例による往復運動式圧縮機の過負荷保護装置の動作手順を示すフローチャートである。
【図１】
2005536686.tif 000003
【図２】
2005536686.tif 000004
【図３】
2005536686.tif 000005
【図４】
2005536686.tif 000006
【国際調査報告】
2005536686.tif 000007